(57)【要約】【課題】本発明は、複写装置に関し、電子回路チップの情報を読み出すための電波を直接外部に漏らすことなく容易に複写の可否を判定して違法複写を防止することができる複写装置を提供することを目的とする。【解決手段】開閉検出部１３５により圧板１３４が閉じられたことを検出すると、読出部１３３により電子回路チップの情報をマイクロ波により読み出し、読み出しの結果電子回路チップ内のデータを読み出すことができ、読み出したデータに複写許可情報があれば、暗号を復号して情報を解析し、複写が許可されているか判定し、複写が許可されていなければ複写処理を行なわない。【選択図】　　　図２
2004109755.tif 000002
【特許請求の範囲】
【請求項１】
原稿から画像データを読み取る読取手段と、前記原稿に付されている情報保存媒体に格納されている情報を電波により読み出す読出手段と、前記原稿よりも大面積で該原稿を覆って前記読取手段の読み取り範囲内に押圧固定する圧板と、前記圧板が前記原稿を覆っているか否かを判定する圧板判定手段と、を備え、
前記圧板判定手段により前記圧板が前記原稿を覆っていると判定されたときのみ前記読出手段により前記情報保存媒体の情報を読み出し、読み出した前記情報保存媒体の情報に前記画像データの複写を許可するか否かを示す複写許可情報が含まれていて、かつ該複写許可情報が複写を許可しないことを示しているときは、前記画像データの複写を行なわないことを特徴とする複写装置。
【請求項２】
原稿から画像データを読み取る読取手段と、前記原稿に付されている情報保存媒体に格納されている情報を電波により読み出す読出手段と、前記原稿よりも大面積で該原稿を覆って前記読取手段の読み取り範囲内に押圧固定する圧板と、前記圧板が前記原稿を覆っているか否かを判定する圧板判定手段と、前記原稿の複写の開始を指示する複写開始指示手段と、を備え、
前記複写開始指示手段により前記原稿の複写が指示されると、前記圧板判定手段により前記圧板が前記原稿を覆っているかを判定し、前記圧板が前記原稿を覆っていると判定されたときのみ前記読出手段により前記情報保存媒体の情報を読み出し、読み出した前記情報保存媒体の情報に前記画像データの複写を許可するか否かを示す複写許可情報が含まれていて、かつ該複写許可情報が複写を許可しないことを示しているときは、前記画像データの複写を行なわないことを特徴とする複写装置。
【請求項３】
前記原稿を覆っている状態で前記圧板を固定するロック機構を備え、
前記読出手段により前記情報保存媒体の情報を読み出している間は、前記ロック機構により前記圧板を固定することを特徴とする請求項１または２に記載の複写装置。
【請求項４】
装置本体を、前記圧板が前記原稿を覆っている状態のときに前記情報保存媒体の情報を読み出すための電波が外部に漏れないように構成することを特徴とする請求項１から３のいずれかに記載の複写装置。
【発明の詳細な説明】
【０００１】
【発明の属する技術分野】
本発明は、複写装置に関し、特に、紙幣や有価証券等の違法複写を防止する複写装置に関する。
【０００２】
【従来の技術】
従来、紙幣や有価証券等の偽造を防止する方法として、紙幣や有価証券等のシートに電子回路チップを装着し、シートに印刷されている可視情報を暗号化して電子回路チップに格納し、可視情報と電子回路チップに格納されている情報とを比較して偽造を防止するようになっている（例えば、特許文献１参照）。なお、電子回路チップに格納されている情報の読み出しには電波を使っている。
【０００３】
この偽造防止方法によれば、例えば、電子回路チップに異なる番号を記憶させておくことで、電子回路チップの無いシートや偽番号が印刷されたシートは瞬時に判別できるようになっている。
【０００４】
【特許文献１】
国際公開第００−３４９２３号パンフレット
【０００５】
【発明が解決しようとする課題】
しかしながら、このような偽造防止方法にあっては、シートに印刷されている可視情報と電子回路チップに格納されている情報を比較する必要があり、可視情報のデータはスキャナ等で読み取るため、スキャナ等の性能により読取精度が異なる場合、電子回路チップに記憶された情報と可視情報とが同一であると判定することは容易ではないという問題があった。
【０００６】
また、近年の無線ＬＡＮ（Ｌｏｃａｌ　Ａｒｅａ　Ｎｅｔｗｏｒｋ）などの電波への影響や人体への影響を考慮すると、電子回路チップの情報を読み出すために使う電波は外部へ漏れないことが好ましい。
【０００７】
そこで、本発明は、電子回路チップの情報を読み出すための電波が直接外部に漏れないときのみ電子回路チップの情報を読出し、電子回路チップ内の情報のみにより原稿画像の複写の可否を決定することにより、電子回路チップの情報を読み出すための電波を直接外部に漏らすことなく容易に複写の可否を判定して違法複写を防止することを目的とする。
【０００８】
【課題を解決するための手段】
上記課題を解決する第１の発明は、原稿から画像データを読み取る読取手段と、前記原稿に付されている情報保存媒体に格納されている情報を電波により読み出す読出手段と、前記原稿よりも大面積で該原稿を覆って前記読取手段の読み取り範囲内に押圧固定する圧板と、前記圧板が前記原稿を覆っているか否かを判定する圧板判定手段と、を備え、前記圧板判定手段により前記圧板が前記原稿を覆っていると判定されたときのみ前記読出手段により前記情報保存媒体の情報を読み出し、読み出した前記情報保存媒体の情報に前記画像データの複写を許可するか否かを示す複写許可情報が含まれていて、かつ該複写許可情報が複写を許可しないことを示しているときは、前記画像データの複写を行なわないことを特徴とするものである。
【０００９】
この発明では、圧板が原稿を覆っていると判定されたときのみ情報保存媒体の情報が読み出され、読み出された情報に基づいて原稿の画像データの複写の可否が判断される。したがって、圧板が原稿を覆っているときのみ情報保存媒体の情報を読み出すための電波が照射され、読み出された情報により原稿の画像データの複写が禁止される。
【００１０】
上記課題を解決する第２の発明は、原稿から画像データを読み取る読取手段と、前記原稿に付されている情報保存媒体に格納されている情報を電波により読み出す読出手段と、前記原稿よりも大面積で該原稿を覆って前記読取手段の読み取り範囲内に押圧固定する圧板と、前記圧板が前記原稿を覆っているか否かを判定する圧板判定手段と、前記原稿の複写の開始を指示する複写開始指示手段と、を備え、前記複写開始指示手段により前記原稿の複写が指示されると、前記圧板判定手段により前記圧板が前記原稿を覆っているかを判定し、前記圧板が前記原稿を覆っていると判定されたときのみ前記読出手段により前記情報保存媒体の情報を読み出し、読み出した前記情報保存媒体の情報に前記画像データの複写を許可するか否かを示す複写許可情報が含まれていて、かつ該複写許可情報が複写を許可しないことを示しているときは、前記画像データの複写を行なわないことを特徴とするものである。
【００１１】
この発明では、原稿の複写が指示されたとき圧板が原稿を覆っているか判定され、圧板が原稿を覆っていると判定されたときのみ情報保存媒体の情報が読み出され、読み出された情報に基づいて原稿の画像データの複写の可否が判断される。したがって、圧板が原稿を覆っているときのみ情報保存媒体の情報を読み出すための電波が照射され、読み出された情報により原稿の画像データの複写が禁止される。
【００１２】
上記課題を解決する第３の発明は、上記第１の発明または第２の発明の構成に加え、前記原稿を覆っている状態で前記圧板を固定するロック機構を備え、前記読出手段により前記情報保存媒体の情報を読み出している間は、前記ロック機構により前記圧板を固定することを特徴とするものである。
【００１３】
この発明では、情報保存媒体の情報が読み出されている間はロック機構により圧板が原稿を覆っている状態で固定される。したがって、情報保存媒体の情報を読み出すための電波が照射されている間、圧板が原稿を覆ったまま固定される。
【００１４】
上記課題を解決する第４の発明は、上記第１の発明から第３の発明のいずれかの構成に加え、装置本体を、前記圧板が前記原稿を覆っている状態のときに前記情報保存媒体の情報を読み出すための電波が外部に漏れないように構成することを特徴とするものである。
【００１５】
この発明では、圧板が原稿を覆っている状態のときに情報保存媒体の情報を読み出すための電波が外部に漏れない。したがって、圧板が原稿を覆っている状態で情報保存媒体の情報を読み出すための電波が照射されても外部には漏れない。
【００１６】
【発明の実施の形態】
以下、本発明を図面を参照して説明する。
【００１７】
図１〜図４は本発明に係る複写装置の第１実施形態を示す図である。
図１において、複写装置１０は、内蔵するＣＰＵ（Ｃｅｎｔｒａｌ　Ｐｒｏｃｅｓｓｉｎｇ　Ｕｎｉｔ）がＲＯＭ（Ｒｅａｄ−Ｏｎｌｙ　Ｍｅｍｏｒｙ）内から読み出した制御プログラムに従って装置各部の駆動条件や管理データ等の各種情報を記憶するとともに動作する上で必要なデータを記憶するＲＡＭ（Ｒａｎｄｏｍ　Ａｃｃｅｓｓ　Ｍｅｍｏｒｙ）を利用して後述する本発明の各種処理を実行する制御部１１と、駆動条件、装置状態、あるいは入力情報などの各種情報を表示するとともにユーザによる設定や命令等の入力操作を行なうボタンが配設された操作表示部１２と、原稿からカラー画像データや二値画像データを読み取るスキャナ（読取手段）１３と、画像データに基づいてトナーを用紙に記録してカラー画像や二値画像を形成するプロッタ１４と、がバス２０を介して接続されている。
【００１８】
スキャナ１３は、図２に示すように、処理可能な原稿Ｐよりも大面積のコンタクトガラス１３１と、主走査方向に延在し副走査方向に同一の速度で往復移動してコンタクトガラス１３１を介して原稿Ｐの画像面にランプから光を照射しその反射光をＣＣＤなどの読取手段により光電変換して読み取るスキャナユニット１３２と、マイクロ波を照射・検出して電子回路チップ（情報保存媒体）Ｃの情報を読み出す読出部（読出手段）１３３と、原稿Ｐより大面積で原稿Ｐを覆ってコンタクトガラス１３１に押圧する圧板１３４と、圧板１３４の開閉状態を検出する開閉検出部（圧板判定手段）１３５とを備えている。
【００１９】
なお、圧板１３４は、圧板１３４を閉じた状態（原稿Ｐをコンタクトガラスに押圧している状態）では、読出部１３３の照射・検出するマイクロ波を遮断し、ユーザに直接マイクロ波が照射されるのを防ぐことができるようになっている。
【００２０】
また、複写装置１０本体を、圧板１３４を閉じた状態でマイクロ波が外部に漏れないように構成してもよい。
【００２１】
このような複写装置１０で読取可能な原稿として、図３に示すようなものがあり、この原稿３０は、紙などの記録媒体３１表面に情報３２が印刷されており、マイクロ波により情報の読み出しが可能な電子回路チップ（情報保存媒体）３３が装着されている。なお、装着方法は埋め込みでも貼り込みでもよい。
【００２２】
この電子回路チップ３３には、暗号化された複写許可情報が格納・読出可能になっている。
【００２３】
このような複写装置１０の原稿を読み取る場合の処理を図４のフローチャートを参照して説明する。
【００２４】
制御部１１は、開閉検出部１３５により圧板１３４が開かれるのを監視している（Ｓ１１）。
【００２５】
開閉検出部１３５により圧板１３４が開かれたことを検出すると、制御部１１は、開閉検出部１３５により圧板１３４が閉じられるのを監視する（Ｓ１２）。
【００２６】
開閉検出部１３５により圧板１３４が閉じられたことを検出すると、制御部１１は、読出部１３３により電子回路チップの情報を読み出す（Ｓ１３）。
【００２７】
読み出しの結果を判定し（Ｓ１４）、電子回路チップ内のデータを読み出すことができれば、読み出したデータから複写許可情報を読み出し、復号して情報を解析し（Ｓ１５）、複写が許可されているか判定する（Ｓ１６）。
【００２８】
Ｓ１４で電子回路チップが検出されなかった場合や電子回路チップ内に情報が格納されていなかった場合、またはＳ１６で複写許可情報が格納されていなかった場合や複写許可情報の内容が複写が許可されている場合、制御部１１は、操作表示部１２に設けられた複写開始ボタンを有効にし（Ｓ１７）、ボタンが押下されると（Ｓ１８）、スキャナ１３のスキャナユニット１３２により原稿の表面の画像を読み取り、読み取った画像をプロッタ１４により記録出力して複写処理を行い（Ｓ１９）、複写開始ボタンを初期化して（Ｓ２０）終了する。
【００２９】
Ｓ１６で複写許可情報の内容が複写を許可しないものであれば、制御部１１は、操作表示部１２に設けられた複写開始ボタンを無効にし（Ｓ２１）、開閉検出部１３５により圧板１３４が開かれることが検出されるのを待ち（Ｓ２２）、開閉検出部１３５により圧板１３４が開かれることが検出されると、複写開始ボタンを初期化して（Ｓ２０）終了する。
【００３０】
このように本実施形態においては、開閉検出部１３５により圧板１３４が閉じられたことを検出すると、電子回路チップのデータを読み出して複写が許可されているかを判定し、複写が許可されていなければ複写開始ボタンを無効にして複写を行なわせないようにしているため、圧板１３４が閉じているときだけ電子回路チップのデータ読み出しのためのマイクロ波を照射するとともに、読み出したデータの複写許可情報により複写を禁止することができ、電子回路チップの情報を読み出すための電波を直接外部に漏らすことなく容易に複写の可否を判定して違法複写を防止することができる。
【００３１】
次に、図５は本発明に係る複写装置の第２実施形態を示す図である。なお、本実施形態は、上述第１実施形態と略同様に構成されているので、図１および図２を流用して特徴部分のみ説明する。
【００３２】
本実施形態は操作表示部１２に設けられた複写開始ボタン（複写開始指示手段）の押し下げに応じて電子回路チップのデータの読み出しを行なうことを特徴とする。
【００３３】
具体的には、図５のフローチャートに示すように、制御部１１は、操作表示部１２に設けられた複写開始ボタンが押下されるかを監視している（Ｓ３１）。
【００３４】
複写開始ボタンが押下されると、制御部１１は、開閉検出部１３５により圧板１３４が閉じられているか判定し（Ｓ３２）、圧板１３４が閉じられていなければ複写処理を行なわないで終了する。
【００３５】
圧板１３４が閉じられていれば、制御部１１は、スキャナ１３のスキャナユニット１３２により原稿の画像の読み取りを開始するとともに（Ｓ３３）、読出部１３３により電子回路チップの情報を読み出す（Ｓ３４）。
【００３６】
読み出しの結果を判定し（Ｓ３５）、電子回路チップ内のデータを読み出すことができれば、読み出したデータから複写許可情報を読み出し、復号して情報を解析し（Ｓ３６）、複写が許可されているか判定する（Ｓ３７）。
【００３７】
複写が許可されている場合、または複写許可情報が格納されていなかった場合、またはＳ３５で電子回路チップが検出されなかった場合や電子回路チップ内に情報が格納されていなかった場合、制御部１１は、原稿の読み取りを続行し、原稿の画像の読み取り終了後にプロッタ１４により読み取った画像を記録出力する複写処理を行い（Ｓ３８）、終了する。
【００３８】
複写が許可されていない場合、原稿の画像の読み取りを止め、それまでに読み取った画像データを廃棄し、複写処理を行なわず終了する。
【００３９】
このように本実施形態においては、操作表示部１２の複写開始ボタンが押下されたとき、開閉検出部１３５により圧板１３４が閉じられていると判定すると、電子回路チップのデータを読み出して複写が許可されているかを判定し、複写が許可されていなければ複写を行なわせないようにしているため、圧板１３４が閉じているときだけ電子回路チップのデータ読み出しのためのマイクロ波を照射するとともに、読み出したデータの複写許可情報により複写を禁止することができ、電子回路チップの情報を読み出すための電波を直接外部に漏らすことなく容易に複写の可否を判定して違法複写を防止することができる。
【００４０】
なお、本実施形態においては、圧板１３４が閉じられていなければ複写処理を行なわないで終了したが、これに限定されるものではなく、例えば、操作表示部１２に圧板１３４を閉めるように要求するメッセージを出力し、圧板１３４が閉められたら電子回路チップの情報を読み出す処理を行うようにしてもよい。
【００４１】
次に、図６、図７は本発明に係る複写装置の第３実施形態を示す図である。なお、本実施形態は、上述第１実施形態と略同様に構成されているので、図１を流用し、同様な構成には同一の符号を付して特徴部分のみ説明する。
【００４２】
本実施形態のスキャナ１３は、図６に示すように、閉じられた（原稿を押圧した状態）圧板１３４をロックして開かないようにするロック機構１３６を備えており、圧板１３４をロックして電子回路チップの情報を読み出すためのマイクロ波が直接外部に漏れないようにすることを特徴としている。
【００４３】
具体的には、図７のフローチャートに示すように、上述の第１実施形態と同様に、制御部１１は、圧板１３４が開けられた後閉められると（Ｓ１１，Ｓ１２）、ロック機構１３６により圧板１３４が開かないようにロックする（Ｓ４１）。
【００４４】
その後、上述の第１の実施の形態と同様に、制御部１１は、読出部１３３により電子回路チップの情報を読み出し、読み出したデータから複写許可情報を読み出し、復号して複写が許可されているか判定する（Ｓ１４からＳ１６）。
【００４５】
Ｓ１４で電子回路チップが検出されなかった場合や電子回路チップ内に情報が格納されていなかった場合、またはＳ１６で複写許可情報が格納されていなかった場合や複写許可情報の内容が複写が許可されている場合、制御部１１は、操作表示部１２に設けられた複写開始ボタンを有効にし（Ｓ１７）、ボタンが押下されると（Ｓ１８）、複写処理を行い（Ｓ１９）、ロック機構１３６のロックを解除し（Ｓ４２）、複写開始ボタンを初期化して（Ｓ２０）終了する。
【００４６】
Ｓ１６で複写許可情報の内容が複写を許可しないものであれば、制御部１１は、操作表示部１２に設けられた複写開始ボタンを無効にし（Ｓ２１）、ロック機構１３６のロックを解除し（Ｓ４３）、開閉検出部１３５により圧板１３４が開かれることが検出されると、複写開始ボタンを初期化して（Ｓ２２、Ｓ２０）終了する。
【００４７】
このように本実施形態においては、開閉検出部１３５により圧板１３４が閉じられたことを検出すると、ロック機構１３６により圧板１３４をロックし、電子回路チップのデータを読み出して複写が許可されているかを判定し、複写が許可されていなければ複写開始ボタンを無効にして複写を行なわせないようにしているため、電子回路チップのデータ読み出しのためのマイクロ波を照射するときには圧板１３４が閉じている状態にロックするとともに、読み出したデータの複写許可情報により複写を禁止することができ、電子回路チップの情報を読み出すための電波を照射中に圧板１３４を開けられて電波を直接外部に漏らすことを防止するとともに容易に複写の可否を判定して違法複写を防止することができる。
【００４８】
次に、図８は本発明に係る複写装置の第４実施形態を示す図である。なお、本実施形態は、上述第３実施形態と略同様に構成されているので、図１及び図６を流用して特徴部分のみ説明する。
【００４９】
本実施形態は操作表示部１２に設けられた複写開始ボタンの押し下げに応じて、ロック機構１３６により圧板１３４をロックするとともに電子回路チップのデータの読み出しを行なうことを特徴とする。
【００５０】
具体的には、図８のフローチャートに示すように、上述の第２実施形態と同様に、制御部１１は、操作表示部１２に設けられた複写開始ボタンが押下されると、開閉検出部１３５により圧板１３４が閉じられているか判定し、圧板１３４が閉じられていれば、スキャナ１３のスキャナユニット１３２により原稿の画像の読み取りを開始する（Ｓ３１からＳ３３）とともに、ロック機構１３６により圧板１３４が開かないようにロックし（Ｓ５１）、読出部１３３により電子回路チップの情報を読み出す（Ｓ３４）。
【００５１】
そして、上述の第２実施形態と同様に、電子回路チップ内のデータを読み出すことができれば、制御部１１は、読み出したデータから複写許可情報を読み出し、複写が許可されている場合、または複写許可情報が格納されていなかった場合、またはＳ３５で電子回路チップが検出されなかった場合や電子回路チップ内に情報が格納されていなかった場合、原稿の読み取りを続行し、複写処理を行い、複写が許可されていない場合は、原稿の画像の読み取りを止め、それまでに読み取った画像データを廃棄する（Ｓ３５からＳ３８）。
そして、ロック機構１３６のロックを解除して（Ｓ５２）終了する。
【００５２】
このように本実施形態においては、操作表示部１２の複写開始ボタンが押下されたとき、開閉検出部１３５により圧板１３４が閉じられていると判定すると、ロック機構１３６により圧板１３４をロックし、電子回路チップのデータを読み出して複写が許可されているかを判定し、複写が許可されていなければ複写を行なわせないようにしているため、電子回路チップのデータ読み出しのためのマイクロ波を照射するときには圧板１３４が閉じている状態にロックするとともに、読み出したデータの複写許可情報により複写を禁止することができ、電子回路チップの情報を読み出すための電波を照射中に圧板１３４を開けられて電波を直接外部に漏らすことを防止するとともに容易に複写の可否を判定して違法複写を防止することができる。
【００５３】
【発明の効果】
第１の発明によれば、圧板判定手段により圧板が原稿を覆っているかを判定し、圧板が原稿を覆っているときのみ読出手段で情報保存媒体の情報を読み出し、読み出した情報に基づいて複写の可否を判定しているので、情報保存媒体の情報を読み出すための電波を直接外部へ漏らすことなく容易に原稿の複写の可否を判定することができる。
【００５４】
第２の発明によれば、複写開始指示手段により原稿の複写が指示されたとき、圧板が原稿を覆っていれば読出手段で情報保存媒体の情報を読み出し、読み出した情報に基づいて複写の可否を判定しているので、情報保存媒体の情報を読み出すための電波を直接外部へ漏らすことなく容易に原稿の複写の可否を判定することができる。
【００５５】
第３の発明によれば、ロック機構により読出手段が情報保存媒体の情報を読み出している間は原稿を覆っている状態で圧板を固定しているので、情報保存媒体の情報を読み出すための電波を照射している間に圧板の覆いを外して電波を直接外部へ漏らすことを防止することができる。
【００５６】
第４の発明によれば、圧板が原稿を覆っている状態のときに情報保存媒体の情報を読み出すための電波が外部に漏れないように装置本体を構成しているので、圧板が原稿を覆っている状態のときは、電波を外部へ漏らすことがないようにすることができる。
【図面の簡単な説明】
【図１】本発明に係る複写装置の第１実施形態を示す図であり、そのブロック図である。
【図２】そのスキャナの概略構成図である。
【図３】その読取可能な原稿の構成図である。
【図４】その複写処理を説明するフローチャートである。
【図５】本発明に係る複写装置の第２実施形態を示す図であり、その複写処理を説明するフローチャートである。
【図６】本発明に係る複写装置の第３実施形態を示す図であり、その複写処理を説明するフローチャートである。
【図７】その複写処理を説明するフローチャートである。
【図８】本発明に係る複写装置の第４実施形態を示す図であり、その複写処理を説明するフローチャートである。
【符号の説明】
１０　　複写装置
１１　　制御部
１２　　操作表示部
１３　　スキャナ（読取手段）
１４　　プロッタ
２０　　バス
３０　　原稿
３１　　記録媒体
３２　　情報
３３　　電子回路チップ（情報保存媒体）
１３１　　コンタクトガラス
１３２　　スキャナユニット
１３３　　読出部（読出手段）
１３４　　圧板
１３５　　開閉検出部（圧板判定手段）
１３６　　ロック機構
【図１】
2004109755.tif 000003
【図２】
2004109755.tif 000004
【図３】
2004109755.tif 000005
【図４】
2004109755.tif 000006
【図５】
2004109755.tif 000007
【図６】
2004109755.tif 000008
【図７】
2004109755.tif 000009
【図８】
2004109755.tif 000010